(57)【要約】    【課題】表面部材を後付けできるが、一度取り付けたら簡単にははずせないようなボタンを提供する。    【解決手段】表面部材の後付けが可能なボタンである。係合突起（３２）を有する表面部材（３）と、前記係合突起（３２）を受け入れる穴（４２）を有する仮表面部材（４）と、前記係合突起（３２）を受け入れる穴（５１）と、その穴の周辺に設けられた放射状の切り込み（５２）を有する薄板（５）と、係合時に前記係合突起（３２）が収容される固定用ブロック（６）と、前記仮表面部材（４）、前記薄板（５）、前記固定用ブロック（６）を一体化する手段とからなる。【選択図】図２
2008183188.tif 000002
【特許請求の範囲】
【請求項１】
係合突起（３２，３２Ｂ）を有する表面部材（３，３Ｂ）と、
前記係合突起（３２，３２Ｂ）を受け入れる穴（４２，４２Ｂ）を有する仮表面部材（４，４Ｂ）と、
前記係合突起（３２，３２Ｂ）を受け入れる穴（５１，５１Ｂ）と、その穴の周辺に設けられた放射状の切り込み（５２，５２Ｂ）を有する薄板（５，５Ｂ）と、
係合時に前記係合突起（３２，３２Ｂ）が収容される固定用ブロック（６，６Ｂ）と、
前記仮表面部材（４，４Ｂ）、前記薄板（５，５Ｂ）、前記固定用ブロック（６，６Ｂ）を一体化する手段と
からなることを特徴とする表面部材（３，３Ｂ）の後付けが可能なボタン。
【請求項２】
前記仮表面部材（４，４Ｂ）、前記薄板（５，５Ｂ）、前記固定用ブロック（６，６Ｂ）を一体化する手段が、前記仮表面部材（４，４Ｂ）とかしめられる固定用ブロック収容筒（７，７Ｂ）である請求項１記載のボタン。
【請求項３】
抜け止め（３４，３４Ｃ）を備えた係合突起（３２Ａ，３２Ｃ）を有する表面部材（３Ａ，３Ｃ）と、
前記係合突起（３２Ａ，３２Ｃ）を受け入れる穴（４２Ａ，４２Ｃ）を有する仮表面部材（４Ａ，４Ｃ）と、
前記抜け止め（３４，３４Ｃ）の最大径よりも小径の孔（６５）を有し、係合時に前記抜け止めが固定される固定用ブロック（６Ａ，６Ｃ）と、
前記仮表面部材（４Ａ，４Ｃ）、前記固定用ブロック（６Ａ，６Ｃ）を一体化する手段と
からなることを特徴とする表面部材（３Ａ，３Ｃ）の後付けが可能なボタン。
【請求項４】
前記仮表面部材（４Ａ，４Ｃ）、前記固定用ブロック（６Ａ，６Ｃ）を一体化する手段が、前記仮表面部材（４Ａ，４Ｃ）とかしめられる固定用ブロック収容筒（７Ａ，７Ｃ）である請求項１記載のボタン。
【請求項５】
装飾ボタンであり、使用時に裏当て部材（８，８Ｂ）と一体化される請求項１ないし４の何れかに記載のボタン。
【請求項６】
スナップボタンであり、使用時に雌部材（８Ａ，８Ｃ）又は雄部材と一体化される請求項１ないし４の何れかに記載のボタン。
【発明の詳細な説明】
【技術分野】
【０００１】
本発明は、表面部材の後付けが可能なボタンに関する。ボタンには、接合機能を持たない装飾ボタン（例えば、ジーンズのネオバボタン）及び接合機能を有するスナップボタンの双方が含まれる。
【背景技術】
【０００２】
ボタンの表面部材は後付けができれば便利なことが多い。例えば、次のようなときである。
（１）販売店又は購入者自身がお気に入り又は特注のボタン表面部材を取り付けたいと思ったとき
（２）表面部材が宝石又は模造宝石のような割れやすい素材を使用しており、取付機による打付けでは破損しやすいとき。
上記（１）のようなケースでは、表面部材を後付けしようとする者は、メーカーではないので専用の取付機を所有していないことがほとんどであり、機械を使用しなくても後付けできることが望ましい。
【０００３】
従来、このような目的で表面部材を後付け又は取り替えできるようにした発明として下記の特許文献１〜３のようなものが知られている。これらは表面部材とボタン固定用ブロックとを分離し、それぞれに雄部材又は雌部材を取り付け、互いに係合可能としている。
【特許文献１】実開平２−９６９０５号
【特許文献２】実開平４−３１５１０号
【特許文献３】実開平４−１３３７０９号
【発明の開示】
【発明が解決しようとする課題】
【０００４】
上記従来技術は、雌雄部材の係合によりボタン固定用ブロックに表面部材を取り付けるものであるので、取り付けが簡単ではあるが、表面部材がもともと外れやすい性格を有する。表面部材が外れると、支持するものを失った表面部材が抜け落ちて、紛失してしまうことがある。
【０００５】
本発明は、表面部材を後付けできるが、一度取り付けたら簡単にははずせないボタンを提供することを目的とする。
【課題を解決するための手段】
【０００６】
本発明請求項１は、表面部材の後付けが可能なボタンであって、係合突起（３２，３２Ｂ）を有する表面部材（３，３Ｂ）と、前記係合突起（３２，３２Ｂ）を受け入れる穴（４２，４２Ｂ）を有する仮表面部材（４，４Ｂ）と、前記係合突起（３２，３２Ｂ）を受け入れる穴（５１，５１Ｂ）と、その穴の周辺に設けられた放射状の切り込み（５２，５２Ｂ）を有する薄板（５，５Ｂ）と、係合時に前記係合突起（３２，３２Ｂ）が収容される固定用ブロック（６，６Ｂ）と、前記仮表面部材（４，４Ｂ）、前記薄板（５，５Ｂ）、前記固定用ブロック（６，６Ｂ）を一体化する手段とからなることを特徴とする。
【０００７】
ここで、前記仮表面部材（４，４Ｂ）、前記薄板（５，５Ｂ）、前記固定用ブロック（６，６Ｂ）を一体化する手段は、例えば、前記仮表面部材（４，４Ｂ）とかしめられる固定用ブロック収容筒（７，７Ｂ）である。
【０００８】
本発明請求項３は、表面部材の後付けが可能なボタンであって、抜け止め（３４，３４Ｃ）を備えた係合突起（３２Ａ，３２Ｃ）を有する表面部材（３Ａ，３Ｃ）と、前記係合突起（３２Ａ，３２Ｃ）を受け入れる穴（４２Ａ，４２Ｃ）を有する仮表面部材（４Ａ，４Ｃ）と、前記抜け止めの最大径よりも小径の孔（６５）を有し、係合時に前記抜け止めが固定される固定用ブロック（６Ａ，６Ｃ）と、前記仮表面部材（４Ａ，４Ｃ）、前記固定用ブロック（６Ａ，６Ｃ）を一体化する手段とからなることを特徴とする。
【０００９】
ここで、前記仮表面部材（４Ａ，４Ｃ）、前記固定用ブロック（６Ａ，６Ｃ）を一体化する手段は、例えば、前記仮表面部材（４Ａ，４Ｃ）とかしめられる固定用ブロック収容筒（７Ａ，７Ｃ）である。
【発明の効果】
【００１０】
本発明請求項１，２によれば、一体化した前記仮表面部材、前記薄板、前記固定用ブロックに対して、表面部材が後付け可能である。また、本発明請求項３，４によれば、一体化した前記仮表面部材、前記固定用ブロックに対して、表面部材が後付け可能である。
【００１１】
後付けの方法は、請求項１，２によれば、表面部材の係合突起を、穴と放射状の切り込みを有する薄板に挿入することである。請求項３，４によれば、表面部材の、抜け止めを有する係合突起を固定用ブロックの孔に挿入することである。
【００１２】
いずれにしても、本発明では、表面部材を後付けできるが、一度取り付けたら簡単には外せない。
【００１３】
したがって、販売店又は購入者自身がお気に入り又は特注のボタン表面部材を取り付けたいと思ったときや、表面部材が宝石又は模造宝石のような割れやすい素材を使用しており、取付機による打付けでは破損しやすいときに、表面部材を後付けすることができる。
【００１４】
しかも、後付け作業は、指で表面部材を押しつけるだけであり、専用の取付機を必要としない。
【発明を実施するための最良の形態】
【００１５】
ボタンには、接合機能を持たない装飾ボタン及び接合機能を有するスナップボタンの双方が含まれる。装飾ボタンのときは、使用時に裏当て部材と一体化される。スナップボタンのときは、使用時に雄部材又は雌部材と一体化される。
【００１６】
表面部材は、文字や図形による装飾表面を有する場合と、宝石や模擬宝石のような割れやすい装飾表面を有する場合が典型的である。
【００１７】
仮表面部材は、後付けする表面部材がまだ付けられていないときに仮の表面部材となるものである。表面部材を除く他の部品を一体化する目的も併せて有する。通常、皿を伏せたような形状を有する。
【００１８】
薄板は請求項１，２の場合に使用するもので、放射状の切り込みのために進行は可能であるが、後退はできなくする目的を有する。
【００１９】
固定用ブロックは、係合時に表面部材の有する係合突起を収容する部分である。請求項１，２の場合は金属で製造されることが多いが、請求項３，４の場合は、係合突起の抜け止めが固定用ブロックの孔の壁に食い込むように固着される必要があり、通常合成樹脂により製造される。この孔は固定用ブロックを貫通していることが好ましいが、貫通しない構成にすることもできる。
【実施例１】
【００２０】
以下、添付の図面に基づき、本考案の実施例を説明する。
【００２１】
図１、２は、装飾ボタンであるジーンズのネオバボタン１に係る第１実施例である。図１は、断面図、図２は展開斜視図である。
【００２２】
図２に示すように、このボタン１は生地２の表側の５部品（数え方によっては６部品）、下側の１部品（数え方によっては２部品）から構成される。
【００２３】
表側部品を外側から見ていくと、後付けされる表面部材３、表面部材が取り付けられるまでの仮表面部材４、表面部材固定用の薄板５、固定用ブロック６、固定用ブロック収容筒７である。
【００２４】
表面部材３は、図１に示すように、実際は２部品からなる。装飾部材３１と、中央に係合突起３２を起立させた係合円板３３であり、両者は装飾部材３１の周縁部を係合円板３３の周縁部にかしめることにより一体化されている。
【００２５】
仮表面部材４は、上が閉鎖され、下が開放された低い円筒であり、皿を逆さにしたようなものである。上の閉鎖板４１の中央に小さな穴４２があけられている。
【００２６】
薄板５は、薄い金属円板で、中央に小さな穴５１があけられているほか、穴の周囲に放射状に切り込み５２が設けられている。
【００２７】
固定用ブロック６は、肉厚の円柱状金属片である。上部に前記薄板５を載置するためのフランジ６１を有する。また、上部中央には、逆円錐状の窪み６２があり、この窪み６２の最低部には更に深い没入部６３が形成されている。固定用ブロック６の下部には浅い逆円錐状の窪み６４が形成されている。
【００２８】
固定用ブロック収容筒７は、固定用ブロック６を包み込むものであり、上部にフランジ７１を有する。この上部フランジ７１は、固定用ブロック６のフランジ６１に達していない。また固定用ブロック収容筒７の下部と固定用ブロック６の下部窪み６４の間に空間７２が設けられている。
【００２９】
後付けされる表面部材３を除く４部品は、次のようにして一体化される。まず、固定用ブロック収容筒７の中に固定用ブロック６を収容する。固定用ブロック６のフランジ６１の上に薄板５を載置する。その上から仮表面部材４をかぶせ、仮表面部材４の下側周縁部４３と固定用ブロック収容筒７のフランジ周縁部７３とをかしめる。
【００３０】
生地の下側部品は、裏当て材８であり、図１に示すように、実際は２部品からなる。表面円板８１と、中央に係合突起８２を起立させた係合円板８３であり、両者は表面円板８１の周縁部を係合円板８３の周縁部にかしめることにより一体化されている。
【００３１】
後付けされる表面部材３を除く生地表側の４部品と、生地下側１部品とは、生地を挟んだ状態で打ち付け機により、強固に押しつけられる。完成時には、裏当て材８の係合突起８２が、固定用ブロック６と固定用ブロック収容筒７の間の空間７２に圧入されて完全に固定される。
【００３２】
最後に表面部材３を仮表面部材４に取り付けて完成である。指で単に表面部材の係合突起３２を仮表面部材４の穴４２に押しつけるだけでよい。係合突起３２は薄板５の穴５１に挿入され、放射状の切り込み５２を押し広げるので、挿入は可能であるが、抜き取りは通常の力では無理である。
【実施例２】
【００３３】
図３、４は、装飾ボタンであるジーンズのネオバボタン１Ａに係る第２実施例である。図３は、断面図、図４は展開斜視図である。
【００３４】
図４に示すように、このボタン１Ａは生地の表側の４部品（数え方によっては５部品）、下側の１部品（数え方によっては２部品）から構成される。第１実施例と比較すると、薄板がないのが特徴的である。
【００３５】
表側部品を外側から見ていくと、後付けされる表面部材３Ａ、表面部材３Ａが取り付けされるまでの仮表面部材４Ａ、固定用ブロック６Ａ、固定用ブロック収容筒７Ａである。
【００３６】
表面部材３Ａは、図３に示すように、実際は２部品からなる。装飾部材３１Ａと、中央に係合突起３２Ａを起立させた係合円板３３Ａであり、両者は装飾部材３１Ａの周縁部を係合円板３３Ａの周縁部にかしめることにより一体化されている。係合突起３２Ａの先端には抜け止め３４が形成されている。
【００３７】
仮表面部材４Ａは、上が閉鎖され、下が開放された低い円筒であり、皿を逆さにしたようなものである。上の閉鎖板４１Ａの中央に小さな穴４２Ａがあけられている。
【００３８】
固定用ブロック６は、肉厚の円筒状合成樹脂片である。上部に仮表面部材４を支持するフランジ６１Ａを有する。また、中央には、上下を貫通する孔６５形成されている。
【００３９】
固定用ブロック収容筒７Ａは、固定用ブロック６Ａを包み込むものであり、上部にフランジ７１Ａを有する。この上部フランジ７１Ａは、固定用ブロック６Ａのフランジ６１Ａに達していない。また固定用ブロック収容筒７Ａの下部に穴７３があけられている。
【００４０】
後付けされる表面部材３Ａを除く４部品は、次のようにして一体化される。まず、固定用ブロック収容筒７Ａの中に固定用ブロック６Ａを収容する。固定用ブロック６Ａのフランジ６１Ａの上から仮表面部材４Ａをかぶせ、仮表面部４Ａの下側周縁部４３Ａと固定用ブロック収容筒７Ａのフランジ周縁部７３Ａとをかしめる。
【００４１】
生地の下側部品は、裏当て材８Ａであり、図３に示すように、実際は２部品からなる。表面円板８１Ａと、中央に係合突起８２Ａを起立させた係合円板８３Ａであり、両者は表面円板８１Ａの周縁部を係合円板８３Ａの周縁部にかしめることにより一体化されている。係合突起８２Ａの先端には抜け止め８４が形成されている。
【００４２】
後付けされる表面部材３Ａを除く生地表側の３部品と、生地下側１部品とは、生地を挟んだ状態で打ち付け機により、強固に押しつけられる。完成時には、裏当て材８Ａの係合突起８２Ａが、固定用ブロック６Ａの孔６５に圧入されて完全に固定される。係合突起８２Ａは金属であり、固定用ブロック６Ａは合成樹脂であり、係合突起の抜け止め８４の最大径は固定用ブロック６Ａの孔６５の径よりも大きいので、抜け止め８４は孔６５の壁に食い込み、抜けなくなる。
【００４３】
最後に表面部材３Ａを仮表面部材４Ａに取り付けて完成である。指で単に表面部材の係合突起３２Ａを仮表面部材の穴４２Ａに押しつけるだけでよい。係合突起３２Ａは金属で、固定用ブロック６Ａは合成樹脂であり、係合突起の抜け止め３４の最大径は固定用ブロック６Ａの孔６５の径よりも大きいので、抜け止め３４は孔６５の壁に食い込み、抜けなくなる。したがって、挿入は可能であるが、抜き取りは通常の力では無理である。
【実施例３】
【００４４】
図５、６は、スナップボタン１Ｂに係る第３実施例である。図５は、断面図、図６は展開斜視図である。
【００４５】
図６に示すように、このボタンは生地の表側の５部品（数え方によっては７部品）、下側の１部品（数え方によっては２部品）から構成される。
【００４６】
表側部品を外側から見ていくと、後付けされる表面部材３Ｂ、表面部材が取り付けされるまでの仮表面部材４Ｂ、表面部材固定用の薄板５Ｂ、固定用ブロック６Ｂ、固定用ブロック収容筒７Ｂである。
【００４７】
表面部材３Ｂは、図５に示すように、実際は３部品からなる。模造宝石３５を取り付けた装飾部材３１Ｂと、中央に係合突起３２Ｂを起立させた係合円板３３Ｂであり、すべて周縁部同士をかしめることにより一体化されている。
【００４８】
仮表面部材４Ｂは、上が閉鎖され、下が開放された低い円筒であり、皿を逆さにしたようなものである。上の閉鎖板４１Ｂの中央に小さな穴４２Ｂがあけられている。
【００４９】
薄板５Ｂは、薄い金属円板で、中央に小さな穴５１Ｂがあけられているほか、穴の周囲に放射状に切り込み５２Ｂが設けられている。
【００５０】
固定用ブロック６Ｂは、肉厚の円筒状金属片である。また、中央には、上下を貫通する孔６５Ｂが形成されている。
【００５１】
固定用ブロック収容筒７Ｂは、固定用ブロック６Ｂを包み込むものであり、上部に薄板５Ｂ及び仮表面部材４Ｂを支持するフランジ７１Ｂを有する。また固定用ブロック収容筒７Ｂの下部には円筒脚部７５が設けられている。
【００５２】
後付けされる表面部材３Ｂを除く４部品は、次のようにして一体化される。まず、固定用ブロック収容筒７Ｂの中に固定用ブロック６Ｂを収容する。固定用ブロック６Ｂの上に薄板５Ｂを載置する。その上から仮表面部材４Ｂをかぶせ、仮表面部材４Ｂの下側周縁部と固定用ブロック収容筒７Ｂのフランジ周縁部とをかしめる。
【００５３】
生地の下側部品は、それ自体周知の雌側スナップ材８Ｂであり、図５に示すように、ばね８５も数えれば実際は２部品からなる。
【００５４】
後付けされる表面部材３Ｂを除く生地表側の４部品と、生地下側１部品とは、生地を挟んだ状態で打ち付け機により、強固に押しつけられる。完成時には、円筒脚部７５と雌側スナップ材８Ｂがかしめられて完全に固定される。
【００５５】
最後に表面部材３Ｂを仮表面部材４Ｂに取り付けて完成である。指で単に表面部材の係合突起３２Ｂを仮表面部材の穴５２Ｂに押しつけるだけでよい。係合突起は薄板５Ｂの穴５１Ｂに挿入され、放射状の切り込み５２Ｂを押し広げるので、挿入は可能であるが、抜き取りは通常の力では無理である。
【実施例４】
【００５６】
図７、８は、スナップボタンに係る第４実施例である。図７は、断面図、図８は展開斜視図である。
【００５７】
図８に示すように、このボタンは生地の表側の４部品（数え方によっては６部品）、下側の１部品（数え方によっては２部品）から構成される。
【００５８】
表側部品を外側から見ていくと、後付けされる表面部材３Ｃ、表面部材が取り付けされるまでの仮表面部材４Ｃ、固定用ブロック６Ｃ、固定用ブロック収容筒７Ｃである。第３実施例と比較すると、表面部材固定用の薄板がないことが特徴的である。
【００５９】
表面部材３Ｃは、図７に示すように、実際は３部品からなる。模造宝石３５Ｃを取り付けた装飾部材３１Ｃと、中央に係合突起３２Ｃを起立させた係合円板３３Ｃあり、すべて周縁部同士をかしめることにより一体化されている。係合突起の先端には抜け止め３４Ｃが形成されている。
【００６０】
仮表面部材４Ｃは、上が閉鎖され、下が開放された低い円筒であり、皿を逆さにしたようなものである。上の閉鎖板４１Ｃの中央に小さな穴４２Ｃがあけられている。
【００６１】
固定用ブロック６Ｃは、肉厚の円筒状合成樹脂片である。中央には、上下を貫通する孔６５Ｃが形成されている。
【００６２】
固定用ブロック収容筒７Ｃは、固定用ブロック６Ｃを包み込むものであり、上部に仮表面部材４Ｃを支持するフランジ７１Ｃを有する。また固定用ブロック収容筒７Ｃの下部には円筒脚部７５Ｃが設けられている。
【００６３】
後付けされる表面部材３Ｃを除く４部品は、次のようにして一体化される。まず、固定用ブロック収容筒７Ｃの中に固定用ブロック６Ｃを収容する。その上から仮表面部材４Ｃをかぶせ、仮表面部材の下側周縁部４３Ｃと固定用ブロック収容筒７Ｃのフランジ周縁部とをかしめる。
【００６４】
生地の下側部品は、それ自体周知の雌側スナップ材８Ｃであり、図５に示すように、ばね８５Ｃも数えれば実際は２部品からなる。この実施例では、雌側スナップ材を使用しているが、別の例では雄側スナップ部材（図示せず）でもよい。
【００６５】
後付けされる表面部材を除く生地表側の３部品と、生地下側１部品とは、生地を挟んだ状態で打ち付け機により、強固に押しつけられる。完成時には、円筒脚部７５Ｃと雌側スナップ材８Ｃがかしめられて完全に固定される。
【００６６】
最後に表面部材３Ｃを仮表面部材４Ｃに取り付けて完成である。指で単に表面部材の係合突起３２Ｃを仮表面部材の穴４２Ｃに押しつけるだけでよい。係合突起３２Ｃは金属で、固定用ブロック６Ｃは合成樹脂であり、係合突起の抜け止め３４Ｃの最大径は固定用ブロック６Ｃの孔６５Ｃの径よりも大きいので、抜け止め３４Ｃは孔６５Ｃの壁に食い込み、抜けなくなる。したがって、挿入は可能であるが、抜き取りは通常の力では無理である。
【図面の簡単な説明】
【００６７】
【図１】装飾ボタン１に係る第１実施例の断面図である。
【図２】装飾ボタン１に係る第１実施例の展開斜視図である。
【図３】装飾ボタン１Ａに係る第２実施例の断面図である。
【図４】装飾ボタン１Ａに係る第２実施例の展開斜視図である。
【図５】スナップボタン１Ｂに係る第３実施例の断面図である。
【図６】スナップボタン１Ｂに係る第３実施例の展開斜視図である
【図７】スナップボタン１Ｃに係る第４実施例の断面図である
【図８】スナップボタン１Ｃに係る第４実施例の展開斜視図である
【符号の説明】
【００６８】
１，１Ａ      装飾ボタン
１Ｂ，１Ｃ    スナップボタン
３，３Ａ，３Ｂ，３Ｃ 表面部材
４，４ａ，４Ｂ，４Ｃ 仮表面部
５，５Ｂ      薄板
５２，５２Ｂ  切り込み
６，６Ａ，６Ｂ，６Ｃ 固定用ブロック
７，７Ａ，７Ｂ，７Ｃ 固定用ブロック収容筒
８，８Ａ      裏当て材
８Ｂ，８Ｃ    雌側スナップ材
３１，３１Ａ，３１Ｂ，３１Ｃ         装飾部材
３２，３２Ａ，３２Ｂ，３２Ｃ  係合突起
３４，３４Ｃ  抜け止め
３５，３５Ｃ  模造宝石
４２，４２Ａ，４２Ｂ，４２Ｃ  穴
５１，５２Ａ，５２Ｂ，５２Ｃ  穴
６５，６５Ｂ，６５Ｃ 孔
７５，７５Ｃ  円筒脚部
【図１】
2008183188.tif 000003
【図２】
2008183188.tif 000004
【図３】
2008183188.tif 000005
【図４】
2008183188.tif 000006
【図５】
2008183188.tif 000007
【図６】
2008183188.tif 000008
【図７】
2008183188.tif 000009
【図８】
2008183188.tif 000010